(57)【特許請求の範囲】
【請求項１】
記録ヘッドに設けられた吐出口から記録媒体へとインクを吐出する記録動作を行うと共に、前記記録動作を行わない待機状態において前記吐出口をキャッピング部材で覆うことを可能にしたインクジェット記録装置であって、
前記待機状態において前記キャッピング部材と前記記録ヘッドとの間に形成される空間を加湿する加湿動作を行う加湿手段と、
前記キャッピング部材に対して前記記録ヘッドが離間していた時間と、前記インクジェット記録装置内部の湿度と、前記キャッピング部材に溜まった液体の量と、前記加湿動作を実施する時間と、前記待機状態の継続時間と、のうち少なくとも１つに基づいて設定される所定の間隔及び回数で前記加湿手段に前記加湿動作を実行させると共に、前記加湿動作を前記所定の回数実行し所定の時間で前記加湿動作を停止させる制御手段と、
を有することを特徴とするインクジェット記録装置。
【請求項２】
前記加湿手段は、前記空間に液体を付与することを特徴とする請求項１に記載のインクジェット記録装置。
【請求項３】
前記加湿手段は、前記空間にインクを吐出する前記記録ヘッドにより構成されていることを特徴とする請求項１または２に記載のインクジェット記録装置。
【請求項４】
前記制御手段は、前記待機状態において前記加湿動作が停止した時点から経過した時間により、次の記録動作の直前に実施する回復吐出の吐出数を決定することを特徴とする
請求項１ないし３のいずれか一項に記載のインクジェット記録装置。
【請求項５】
前記制御手段は、前記記録ヘッドのインクをリフレッシュするために前記吐出口からインクを吐出させる回復吐出を、前記キャッピング部材と前記記録ヘッドとにより前記空間が形成された直後に実施し、前記回復吐出の後に前記加湿動作を実施することを特徴とする請求項１ないし４のいずれか一項に記載のインクジェット記録装置。
【請求項６】
前記加湿動作は、前記記録ヘッドの吐出口から前記空間へとインクを吐出することによって前記空間の加湿を行う加湿吐出であることを特徴とする請求項１ないし５のいずれか一項に記載のインクジェット記録装置。
【請求項７】
前記制御手段は、前記加湿吐出の吐出周波数を変化させること可能とすることを特徴とする請求項６に記載のインクジェット記録装置。
【請求項８】
記録ヘッドに設けられた吐出口から記録媒体へとインクを吐出する記録動作を行うと共に、前記記録動作を行わない待機状態において前記吐出口をキャッピング部材で覆うことが可能なインクジェット記録装置の制御方法であって、
前記待機状態において前記キャッピング部材と前記記録ヘッドとの間に形成される空間を加湿する加湿動作を行う加湿工程と、
前記キャッピング部材に対して前記記録ヘッドが離間していた時間と、前記インクジェット記録装置内部の湿度と、前記キャッピング部材に溜まった液体の量と、前記加湿動作を実施する時間と、前記待機状態の継続時間と、のうち少なくとも１つに基づいて設定される所定の間隔及び回数で前記加湿手段に前記加湿動作を実行させると共に、前記加湿動作を前記所定の回数実行後は前記加湿動作を停止する加湿工程と、
を含むことを特徴とするインクジェット記録装置の制御方法。
【発明の詳細な説明】
【技術分野】
【０００１】
本発明は、インクを吐出可能な記録ヘッドを用いて画像を記録するインクジェット記録装置およびインクジェット記録装置の制御方法に関するものである。
【背景技術】
【０００２】
インクジェット記録装置は、記録ヘッドに形成された複数の吐出口から、記録剤であるインクを吐出することにより、記録媒体に画像を記録する。このインクジェット記録装置で使用される記録ヘッドには、吐出エネルギー発生素子として電気熱変換素子あるいは電気機械変換素子などの吐出エネルギー発生素子を各吐出口に連通する液路に配置し、その吐出エネルギーによって液路内のインクを吐出口から吐出するものが知られている。記録に使用されるインクには溶媒として水を使用したものがあり、空気中に晒されると溶媒である水が蒸発し、粘度上昇（増粘）が生じる。記録ヘッド内のインクが増粘すると、記録動作時のインクの吐出が不安定になり、画像品質の低下を来たすこととなる。このため、現在のインクジェット記録装置では、画像の記録に先立ち、増粘したインクあるいは塵埃などが混入したインクを記録ヘッド内から排出するためのインク排出処理が行われる。
【０００３】
また、インクジェット記録装置には、記録動作を行わない吐出待機時に記録ヘッド内のインクが増粘するのを抑制する構成として記録ヘッドの吐出口が形成されている吐出口面を覆う（キャップする）キャッピング部材が備えられている。但し、インクジェット記録装置の本体サイズの制約により、キャッピング部材は記録ヘッドから排出させた増粘したインクを受けるインク受け部材として共用することが多い。従ってキャッピング部材内には排出インクを受けるための容積を設けることが必要であり、記録ヘッドをキャップした状態において記録ヘッドの吐出口面とキャッピング部材との間には外気から遮蔽された所定の遮蔽空間が形成されることとなる。このため、キャップをしてからも吐出口は遮蔽空間内の空気に触れることとなり、吐出口付近のインクには増粘が生じることがある。また、キャッピング部材の密閉性によっては記録ヘッドのキャップ後に、経時的にキャッピング部材の外へ水分が徐々に蒸発することもあり、それが増粘を進行させる要因ともなる。
【０００４】
上記のようなキャッピング後のインクの増粘を緩和するため、特許文献１には、記録装置本体と記録ヘッドとに湿度センサを設けてキャッピング部材内の湿度を定期的に予測し、予測した湿度に対応する数の吐出をキャッピング部材内に行う技術が開示されている。
【先行技術文献】
【特許文献】
【０００５】
【特許文献１】特開２００４−１８１８４４号公報
【発明の概要】
【発明が解決しようとする課題】
【０００６】
しかしながら、特許文献１に開示の技術では、湿度に応じて吐出が継続されるため廃棄するインク量が増大することになる。
【０００７】
本発明は、記録ヘッドの吐出口をキャップ部材で覆う待機状態において、キャップ内を効率よく加湿し記録ヘッドの吐出性能を維持することが可能なインクジェット記録装置および方法の提供を目的とする。
【課題を解決するための手段】
【０００８】
上記目的を達成するため、本発明は以下の構成を有する。
すなわち、本発明は、記録ヘッドに設けられた吐出口から記録媒体へとインクを吐出する記録動作を行うと共に、前記記録動作を行わない待機状態において前記吐出口をキャッピング部材で覆うことを可能にしたインクジェット記録装置であって、前記待機状態において前記キャッピング部材と前記記録ヘッドとの間に形成される空間を加湿する加湿動作を行う加湿手段と、前記キャッピング部材に対して前記記録ヘッドが離間していた時間と、前記インクジェット記録装置内部の湿度と、前記キャッピング部材に溜まった液体の量と、前記加湿動作を実施する時間と、前記待機状態の継続時間と、のうち少なくとも１つに基づいて設定される所定の間隔及び回数で前記加湿手段に前記加湿動作を実行させると共に、前記加湿動作を前記所定の回数実行し所定の時間で前記加湿動作を停止させる制御手段と、を有することを特徴とする。
【発明の効果】
【０００９】
本発明によれば、記録ヘッドの吐出口をキャップ部材で覆う待機状態において、キャップ内を効率よく加湿し記録ヘッドの環境湿度を適正に維持することが可能になる。
【図面の簡単な説明】
【００１０】
【図１】本発明に係るインクジェット記録装置の実施形態を示す概略構成図である。
【図２】本実施形態における制御系の概略構成を示すブロック図である。
【図３】本実施形態におけるインク供給系の概略構成を示す模式図である。
【図４】キャッピング部材と吐出口面とにより形成される遮蔽空間を示す図である。
【図５】本実施形態における制御系により実施される制御動作のフローチャートである。
【図６】キャップオープン時間の影響を予備吐出量に対する係数に変換するテーブルを示す図である。
【図７】累積吐出量の影響を加湿吐出量に対する係数に変換するテーブルを示す図である。
【図８】雰囲気温湿度の影響を加湿吐出量に対する係数に変換したテーブルを示す図である。
【図９】本実施形態におけるキャッピング後回復吐出と加湿吐出の間隔を決定するための計算式を示す図である。
【図１０】待機時吐出継続時間に対し次の記録動作前回復吐出数を求める式を示す図である。
【図１１】待機時吐出停止時間に対し次の記録動作前回復吐出数を求める式を示す図である。
【図１２】加湿吐出を実施する場合と実施しない場合それぞれの必要吐出量を示す図である。
【発明を実施するための形態】
【００１１】
以下、本発明の実施形態について詳細に説明する。  
（第１の実施形態）
図１は、本発明のインクジェット記録装置の概略構成図である。本実施形態の記録装置１００には、帯状の長尺な台紙に複数のラベルが仮付けされてロール状に巻回されたラベル用紙１０１が記録媒体として用いられる。このラベル用紙１０１は、搬送モータ１０３の駆動力によって回転する搬送ローラ１０２により矢印Ａで示す方向（搬送方向）に一定速度で搬送される。搬送されるラベル用紙１０１に仮付けされた各ラベルが記録ヘッド１０５の下部を通過するとき、ラベル用紙１０１の搬送経路に対向して配置された記録ヘッド１０５の複数のノズルの吐出口からインクが吐出され、ラベル用紙１０１の各ラベルに画像が記録される。この記録ヘッドから各ラベルへのインク吐出動作（記録動作）は、ラベルセンサ１０４による各ラベルの先端部の検出に基いて行われる。すなわち、ラベルセンサ１０４は搬送経路において記録ヘッド１０５より上流側の所定の検出位置に配置されており、ラベルの先端がラベルセンサに検出されると、その後ラベルが所定の記録位置に達した時点で、吐出口からインクを吐出して画像の記録を行う。
【００１２】
また、本実施形態では、ラベルにインクを吐出する記録ヘッド１０５として、複数の記録ヘッド１０５Ｋ、１０５Ｃ、１０５Ｍ、１０５Ｙが搬送経路の上方に搬送方向に沿って配置されている。ここで、記録ヘッド１０５Ｋ、１０５Ｃ、１０５Ｍ、１０５Ｙは、それぞれブラック、シアン、マゼンタ、イエローのインクを吐出するための記録ヘッドであり、これらのインクによってカラー画像を記録することが可能になっている。記録ヘッド１０５は、ラベル用紙１０１の最大幅相当の記録幅を有する長尺なラインヘッドであり、それらの下面（吐出口面）には、インクを吐出可能な複数の吐出口が配列されている。各記録ヘッドの吐出口面における複数の吐出口の配列方向は、ラベルの搬送方向Ａと交差する方向（本例の場合は、直交する方向）となっている。なお、以下の説明において吐出口とこれに連通する液路を示す部分をノズルともいう。
【００１３】
記録ヘッドのそれぞれの吐出口に対応して設けられている液路には、インクタンク１０６から供給されるインクを液路の先端に形成される開口部である吐出口から吐出するために、吐出エネルギー発生素子が配置されている。この吐出エネルギー発生素子としては、例えば、電気熱変換素子（ヒータ）や圧電素子（ピエゾ）などがある。ヒータを用いた記録ヘッドでは、ヒータの発熱によってノズル内のインクを発泡させ、その発泡時の圧力によって吐出口からインクを吐出する。
【００１４】
記録装置１００の上方部には、記録ヘッド１０５（１０５Ｋ、１０５Ｃ、１０５Ｍ、１０５Ｙ）にインクを供給するインクタンク１０６（１０６Ｋ、１０６Ｃ、１０６Ｍ、１０６Ｙ）が備えられている。また、記録ヘッド１０５の下方部には、それぞれの記録ヘッド１０５の吐出口および吐出口が形成されている吐出口面を外気から遮断した状態で覆うことが可能なキャッピング部材を有するキャッピング機構１０７が備えられている。記録ヘッド１０５とキャッピング機構１０７は、図１中の左右方向に相対移動可能である。キャッピング機構１０７は、記録ヘッド１０６の吐出口面を覆い、吐出口面や吐出口への塵埃の付着を抑制したり、吐出口面や吐出口が損傷するのを回避すると共に、外気から遮断することによって記録ヘッド１０５内のインクの増粘、固化などを抑制する。さらに、キャッピング機構１０７は、記録ヘッド１０５の吐出状態を良好に維持するために、記録ヘッド１０５の吐出口あるいは液路などに存在する増粘したインクあるいは塵埃などが混入したインクを排出するための回復動作に用いられる。回復動作としては、キャッピング機構１０７のキャッピング部材によって記録ヘッドの吐出口面を覆った待機状態において、吐出エネルギー発生素子を駆動して液路や吐出口付近のインクを排出させる回復吐出がある。さらに、回復動作としては、記録ヘッド１０５内のインクを吐出口からキャッピング機構１０７のキャッピング部材内に吸引する吸引回復、記録ヘッド１０５内のインクを加圧することによりノズルからキャッピング部材内に排出する加圧回復がある。
【００１５】
また、記録装置１００には、外部のコンピュータ（ホスト装置）１０８が接続されており、そのコンピュータ１０８から入力した記録データに基づいて画像を記録することができる。
【００１６】
図２は、図１の記録装置１００の制御系の概略構成を示すブロック図である。この記録装置１００の制御系は、その装置全体を制御する中央演算処理部としてのＣＰＵ２０１を中心にして構成されている。すなわち、ＣＰＵ２０１は、プログラムＲＯＭ２０２に記憶されているプログラムを実行して、後述の記録装置１００の各部の動作を制御する。コンピュータ装置１０８から送信された記録データは、記録装置１００のインターフェース・コントローラ２０３によって受信される。記録媒体としてのラベルの枚数、種類、およびサイズ等を指示するコマンドも、インターフェース・コントローラ２０３を介してＣＰＵ２０１に入力され、ここで解析される。また、ＣＰＵ２０１は、これらのコマンドの解析の他、記録データの受信、記録動作、記録媒体のハンドリング等、記録装置１００全般の制御を司るための演算処理を実行する。このＣＰＵ２０１によって実施されるプログラムには、後述する図５のフローチャートに示された手順に対応するプログラムも含まれる。また、ＣＰＵ２０１の作業用のメモリとして、ワークＲＡＭ２０４が使用される。ＥＥＰＲＯＭ２０５は書き換え可能な不揮発性メモリである。このＥＥＰＲＯＭ２０５には、前回の回復動作を実施した時刻、複数の記録ヘッドの相互の距離、および搬送方向における記録位置の微調整（縦方向のレジストレーション）を行うための補正値等、記録装置１００に固有のパラメータが記憶される。
【００１７】
上記のように構成された制御系による制御動作を説明する。  
ＣＰＵ２０１は、受信したコマンドを解析した後、記録データの各色成分の記録データをイメージメモリ２０６にビットマップ展開する。また、ＣＰＵ２０１は、入出力回路（Ｉ／Ｏ）２０７およびモータ駆動部２０８を介して、キャッピング機構１０７を駆動するためのキャッピングモータ２０９、および記録ヘッド１０５を上下方向に移動させるためのヘッドモータ２１０、ブレード１０９を動作させるブレードモータ２１８を制御する。ヘッドモータ２１０により、記録ヘッド１０５は、吐出口面をキャッピング部材に密着させるキャッピング位置（待機位置）と、画像を記録するための記録位置と、キャッピング部材から上方へ離間する退避位置とに、移動可能となっている。
【００１８】
画像を記録する際には、搬送モータ１０３により搬送ローラ１０２を駆動して、ラベル用紙１０１を一定の速度で搬送する。この一定速度で搬送されるラベル用紙１０１の各ラベルに対する画像の記録タイミングを決定するために、ラベルセンサ１０４によってラベルの先端を検出する。ラベルセンサ１０４の検出信号は、入出力回路（Ｉ／Ｏ）２１１を介して入力される。搬送モータ１０３によるラベル用紙１０１の搬送に伴ってエンコーダ１１０から出力される信号に同期して、ＣＰＵ２０１はイメージメモリ２０６から色毎の記録データを順次読み出す。さらに、ＣＰＵ２０１は、読み出した記録データを記録ヘッド制御回路２１２を介して対応する記録ヘッド１０５に転送する。これにより、記録ヘッド１０５は、記録データに基づいてインクを吐出し、ラベルに画像を記録する。なお、ラベル用紙を巻き戻す際にはロールモータ１１１が使用される。
【００１９】
後述するポンプを駆動するためのポンプモータ２１３は、それぞれ、入出力回路（Ｉ／Ｏ）２０７およびモータ駆動部２０８を介して制御される。操作パネル２１４は入出力回路（Ｉ／Ｏ）２１５を介して接続される。また、記録装置１００の雰囲気温度と湿度は温湿度センサ２１６によって検出され、その検出信号がＡ／Ｄコンバータ２１７でＡ／Ｄ変換された後、ＣＰＵ２０１に入力される。また、ＣＰＵ２０１は弁３０４、弁３０５、弁３０７及び弁３０８と接続され、これらを制御する。
【００２０】
図３は、記録装置１００における４色のインクそれぞれについて設けられるインク流路系の内の１つを示す図である。本実施形態の場合、インクタンク１０６は、接続部材３０１により記録ヘッド１０５に接続されている。記録ヘッド１０５はチューブ３０２を介してバッファータンク３０３に連結されており、チューブ３０２の途中にはその内部の流路を開閉するための弁３０４が連結されている。キャッピング機構１０７には、記録ヘッド１０５をキャッピング部材１０７ａでキャッピングした際に、キャッピング部材１０７ａと記録ヘッド１０５の吐出口面１０５ａとによって図４に示すような遮蔽空間ＣＳが形成される。また、キャッピング部材１０７ａには、遮蔽空間ＣＳの内圧を調整するため、キャッピング部材１０７ａと大気との連通・遮断を切り換える大気連通弁３０５が連結されている。キャッピング機構１０７のキャッピング部材１０７ａは、チューブ３０６によりバッファータンク３０３と連通しており、チューブ３０６の途中にはその内部の流路を開閉するための弁３０７が連結されている。バッファータンク３０３にはバッファータンク３０３の内圧を調整する弁３０８が連結されており、チューブ３０９を介して廃インクタンク３１０に連結されている。チューブ３０９の途中にはチューブポンプ３１１が連結されている。記録ヘッド１０５内にはインクの液面を検出する液面センサ３１２が設置されている。なお、インクタンク１０６はばねでインク袋を広げる方向に付勢し、負圧を発生する構成になっている。
【００２１】
記録ヘッド１０５内にインクを充填する場合には、弁３０７、３０８を閉じ、弁３０４を開いて、ポンプモータ２１３を駆動してチューブポンプ３１１を動作させ、記録ヘッド１０５の内圧をインクタンク１０６の内圧より低下させる。これにより、接続部材３０１を介して記録ヘッド１０５内へとインクが充填される。
【００２２】
記録動作により記録ヘッド１０５内のインクが消費されると記録ヘッド１０５の内圧が低下する。そして、記録ヘッド１０５の内圧がインクタンク１０６の内圧より低下すると、インクタンク１０６から接続部材３０１を通じて記録ヘッド１０５内にインクが供給される。図３に示したインク流路系は、基本的に４種類のインクそれぞれについて形成することが可能である。但し、本実施形態の場合、大気連通弁３０８、バッファータンク３０３から廃インクタンク３１０までの流路は、各インク流路系において共通部分としている。なお、上記の各弁は、図示しないソレノイド等によって開閉される。
【００２３】
本実施形態で実施する回復動作としては、前述の回復吐出と、吸引回復と、記録ヘッド１０５の吐出口面に付着している塵埃やインクをワイピングブレードによって払拭するワイプ回復と、があり、これらの組み合わせで実施する場合もある。
【００２４】
吸引回復を実施する場合には、まず記録ヘッド１０５の吐出口面１０５ａにキャッピング部材１０７ａを密着させてキャッピング状態とし、全ての弁を閉じた状態でバッファータンク３０３の内圧を低下させる方向にチューブポンプ３１１を動作させる。その後、バッファータンク３０３内の圧力が記録ヘッド１０５の内圧よりも低い所定の圧力にした時点で弁３０７を開ける。これにより、キャップ部材と記録ヘッド１０５の吐出口面１０５ａとの間に形成された遮蔽空間ＣＳとバッファータンク３０８とが連通し、遮蔽空間ＣＳの低圧によってバッファータンク３０８のインクがキャップ部材１０７ａ内に吸引され、液路内の増粘したインクや塵埃が混入したインクなどがキャップ部材１０７へと排出される。これにより、記録ヘッド１０５内のインクは吐出に適したフレッシュなインクに置き換えられ、良好な吐出状態を得ることができる。
【００２５】
ワイプ回復は、上記の吸引回復動作などによって記録ヘッド１０５の吐出口面１０５ａに付着したインクを、ブレードモータ２１８によって吐出口面１０５ａに接触しつつ往復移動するブレード１０９で払拭することにより行う。このワイプ回復後は、キャッピング部材１０５ａに対してインクの吐出を行い、吐出口におけるインクのメニスカスを整える。キャッピング部材１０７ａに吐出されたインクの累積量が所定の量に達すると、キャッピング部材１０７ａから記録ヘッド１０５の吐出口面１０５ａを離間させ、弁３０４及び弁３０８を閉じた状態にし、弁３０７を開いた状態で、チューブポンプ３１１を動作する。これにより、キャッピング部材１０５ａ内に累積したインクは廃インクタンク３１０へと廃棄される。
【００２６】
次に、キャッピング動作を行った直後から、記録動作待機時に実施する加湿動作としての加湿吐出、記録動作前に実施する回復吐出を経て記録動作に至る動作手順を、図５のフローチャートおよび図６ないし図１１の制御パラメータテーブルを参照しつつ説明する。なお、図６ないし図１１に示す制御パラメータテーブルは、図２に示す制御系の記憶手段、例えばプログラムＲＯＭ２０２などに格納されている。
【００２７】
記録動作が行われていない待機状態では、記録ヘッド１０５はキャッピング機構１０７のキャッピング部材１０７ａによってキャッピングされている。このキャッピングは前回の記録動作が終了すると行われる（Ｓ１）。キャッピングが行われると、ＣＰＵ２０１はキャッピング部材１０７ａに溜まっているインク量に相当するインク滴の累積吐出数（吐出動作の累積数）を取得すると共に、温湿度センサ２１６により検出した記録装置の雰囲気温湿度を取得する（Ｓ２，Ｓ３）。また、ＣＰＵ２０１は、直前の記録動作中のキャッピングしていない時間（キャップオープン時間）に対応する係数を図６に示すテーブルから取得する。さらにＣＰＵ２０１は、図８に示すテーブルに基づき、検出した温湿度に対応する温湿度係数を取得し、その温湿度係数に基づいて、キャッピング後にキャッピング状態で行うインクの吐出動作に関する吐出条件を決定する（Ｓ４）。このキャッピング後にキャッピング状態で行う吐出動作としては、キャッピングされた時点でノズル内に存在しているインクをリフレッシュするためにキャッピング直後に行う回復吐出と、回復吐出後の記録待機状態において実施する加湿吐出とがある。従ってＳ４では、キャッピング直後に行う回復吐出数と、記録待機状態で行う加湿吐出の間隔と、を吐出条件として決定し、決定した吐出条件に従って回復吐出と加湿吐出とを実行する（Ｓ５、Ｓ６）。
【００２８】
キャッピング部材１０７ａに累積しているインク量に相当する累積吐出数（図７参照）と、キャッピングしていない時間（図６参照）と、記録装置の雰囲気温湿度（図８参照）とは、キャッピング直後のキャッピング部材１０７ａ内の湿度に影響している。従って、例えば、キャッピングしていない時間が長く、雰囲気温湿度が低い場合は、キャッピング機構１０７内の湿度は低いと判断する。この場合、キャッピング直後の回復吐出量をより多くし、記録待機状態において加湿吐出を実施する時間間隔（加湿実施間隔）を狭くすることにより、キャッピング機構１０７内の湿度を適正に保つことができる。なお、回復吐出は、加湿吐出としての役割（遮蔽空間ＣＳを加湿する役割）も持っている。また逆に、キャッピングしていない時間が短く、雰囲気温湿度が高い場合には、キャッピング直後の回復吐出量と、加湿吐出量を少なくし、加湿吐出の実施間隔を広くする。これにより、キャッピング状態において、過不足のない適量のインクをキャッピング部材１０７ａに付与することができ、記録ヘッドの雰囲気湿度を適正に保つことができる。このように、本実施形態においては、記録ヘッドが、キャッピング部材１０７ａと記録ヘッド１０５の吐出口面１０５ａとにより形成される遮蔽空間ＣＳの湿度を維持するための加湿手段として機能することとなる。
【００２９】
なお、回復吐出量（吐出回数）および加湿吐出量（加湿吐出回数）は、それぞれの吐出周波数を変化させることによって制御することが可能であり、また回復吐出動作時間および加湿吐出動作時間を変化させて制御することも可能である。すなわち、吐出量を増大させる場合には吐出周波数を高めたり、吐出時間を長くすればよい。さらに吐出周波数と動作時間の双方を変化させて制御することも可能である。また、累積吐出量（累積吐出回数）は前記チューブポンプによって、キャッピング部材１０７ａに溜まったインクを廃インクタンク３１０へと廃棄することにより、リセットされるようになっている。
【００３０】
本実施形態では、図８に示す温湿度係数と、図７に示す累積吐出係数とを用いて、図９に示す吐出設定テーブルの計算式（式１）に基づき、キャッピング後にキャッピング状態で行うインク吐出数（キャッピング後吐出）Ｎａを決定する。すなわち、
Ｎａ＝温湿度係数（Ｎ）×累積吐出係数（ｅ１）×１発      （式１）
により求められる。なお、この式１は、Ｎ＞１０の場合に適用するものとし、Ｎ＝１０の場合には、累積予備吐出数に関係なくＮａ＝０に設定する。
【００３１】
いま、キャッピング後の吐出条件として、雰囲気温度が２３度、雰囲気湿度が２０パーセントであったとすると、図８示すテーブルから求められる温湿度係数Ｎは、９０となる。また、累積吐出数が４０００発であった場合、図７に示すテーブルから求められる累積吐出係数（ｅ１）は０．５となる。従って、この吐出条件において設定される累積吐出数Ｎａは、
Ｎａ＝９０×０．５×１発＝４５発
となる。
【００３２】
また、待機状態において加湿吐出を実施する時間間隔（加湿実施間隔）は、図８に示す温湿度係数と、図７に示す累積吐出係数とを用い、図９に示す吐出設定テーブルの計算式（式２）に基いて設定される。すなわち、加湿実施間隔Ｔは、
Ｔ＝７２０／{（温湿度係数（Ｎ）−１０）×累積吐出係数（ｅ１）}×１秒    （式２）
により求められる。なお、図９の式２は、Ｎ＞１０の条件を満たす場合に適用するものとする。
【００３３】
従って、上記の吐出条件において設定される加湿実施間隔Ｔは、
Ｔ＝７２０／{（９０−１０）×０．５}×１秒＝１８秒
となる。なお、本実施形態においては、加湿吐出は１回につき、記録ヘッド１０５の各ノズルから１発吐出（インクの吐出）することによって行われる。そして、各ノズルからの１発吐出（１回の加湿吐出）はＴの間隔毎に行われる。ただし、本発明はこれに限らず、１回の加湿吐出の発数は装置によっては（例えばキャッピング部材１０７ａの容積によっては）、２発と設定してもよいし、それ以上に設定してもよい。
【００３４】
再び図５を参照するに、待機時吐出中に記録命令を受信すると（Ｓ７）、ＣＰＵ２０１は図１０に示すテーブルを参照し、待機状態で実施される加湿吐出動作の継続時間（待機時吐出継続時間）に対応する、記録動作直前に実施すべき回復吐出数を決定する（Ｓ８）。そしてＣＰＵ２０１は、決定した数の回復吐出を実施した後（Ｓ９）、記録動作を実行させる（Ｓ１０）。図１０に示すように、本実施形態では、待機時吐出継続時間が短い場合には、記録動作直前に実施すべき回復吐出数を多く、待機時吐出継続時間が長い場合には、記録動作直前に実施すべき回復吐出数を少なくしている。これにより本実施形態では前後の記録動作の間隔（記録間隔）が短い場合にも、待機状態における遮蔽空間ＣＳ内の雰囲気湿度を適正に保つことができ、記録ヘッド１０７のノズル内のインクにおける溶媒の蒸発（インクの増粘）を抑えることが可能になる。このため、図１２（ｂ）に示すように記録直前に実施する回復吐出でのインク吐出量を抑えつつ効率的にノズル内のインクをリフレッシュすることが可能になる。すなわち、インク消費を抑えてランニングコストを抑制しつつ、記録ヘッドのノズル内のインクを記録に適した状態に保つことが可能になる。
【００３５】
これに対し、記録動作直前にキャッピング部材１０７ａに回復吐出のみを実施する方式では、遮蔽空間ＣＳ内の湿度が十分に上がらないため、ノズル内のインクをリフレッシュするには、図１２（ａ）に示すように多量のインクを回復吐出時に吐出する必要がある。図１２（ｂ）と図１２（ｂ）との比較により明らかなように、本実施形態では、待機状態においてキャッピング部材１０７ａ内に行うべきインク量が、図１２（ｂ）の従来の方式でのそれに比べて大幅に減少していることが判る。
【００３６】
また、図５のＳ７において記録命令がないと判断され、キャッピングが行われてから所定時間（本実施形態では３分）経過したと判断された場合、つまり前述の待機時吐出継続時間が所定時間に達したと判断された場合（所定のタイミング）（Ｓ１１）には加湿吐出を停止する（Ｓ１２）。これは、待機時吐出継続時間が所定時間に達するとキャッピング部材１０７ａ内の湿度が上昇して吐出口からの蒸発速度が低下してくるので、それ以上の継続は効果が薄くなってくるためであり、余分なインク吐出を避けるため加湿吐出を停止する。次回の印刷命令を受けた時点で（Ｓ１３）で、ＣＰＵ２０１は図１１に示すテーブルを参照し、待機時の加湿吐出を停止していた時間に応じて、次の記録前に行うべき回復吐出の量を決定し（Ｓ１４）、その決定に従って回復吐出を実施する（Ｓ１５）。このようにすることで、記録待機時間が長くなってしまった場合においても、キャッピング部材１０７ａに対するインク吐出量を適量に抑えつつ効率的に遮断空間ＣＳを加湿することができ、インクの消費に伴うランニングコストを抑えることができる。なお、加湿吐出の間隔は、キャッピング部材１０７ａに対して記録ヘッド１０５が離間していた時間と、キャッピング部材１０７ａと記録ヘッド１０５とにより遮蔽空間が形成された時点での記録装置１００の中の雰囲気温湿度、キャッピング部材１０７ａに溜まった液体の量、加湿動作を実施する時間、待機状態の継続時間などの情報のうち、少なくとも１つの情報に基づいて、加湿動作を行う間隔を設定するようにしてもよい。
【００３７】
（他の実施形態）
本発明は、複数の機器（例えば、ホストコンピュータ、インターフェース機器、リーダ、プリンタなど）から構成されるインクジェット記録システム、および１つの機器からなる装置（例えば、複写機、ファクシミリ装置など）に対しても適用することができる。本発明は、異なるインクを吐出可能な記録ヘッドを複数用いるインクジェット記録装置と、その記録装置に画像データを供給可能なホスト装置と、を含む記録システムとして構成することができる。
【００３８】
また、記憶媒体に、前述した実施形態の機能を実現するソフトウェアのプログラムコードを記憶してもよい。この場合には、その記憶媒体に記憶したプログラムコードを記録システムあるいは記録装置に供給し、その記録システムあるいは記録装置のコンピュータ（または、ＣＰＵやＭＰＵ）が記憶媒体に記憶されたプログラムコードを読出し実行することができる。本発明の目的は、このような構成によっても達成できる。この場合、記憶媒体から読出されたプログラムコード自体が前述した実施形態の機能を実現することになり、そのプログラムコードを記憶した記憶媒体は本発明を構成することになる。そのような記憶媒体に本発明を適用する場合、その記憶媒体には、前述したフローチャートに対応するプログラムコードが格納されることになる。
【００３９】
プログラムコードを供給するための記憶媒体としては、例えば、フロッピー（登録商標）ディスク，ハードディスク，光ディスク，光磁気ディスク，ＣＤ−ＲＯＭ，ＣＤ−Ｒ，ＢＤ−Ｒ，磁気テープ，不揮発性のメモリカード，ＲＯＭなどを用いることができる。コンピュータは、読出したプログラムコードを実行することにより、前述した実施形態の機能を実現することができる。さらに、そのプログラムコードの指示に基づき、コンピュータ上で稼働しているＯＳ（オペレーティングシステム）などが実際の処理の一部または全部を行い、その処理によって前述した実施形態の機能が実現することもできる。
また、コンピュータに挿入された機能拡張ボードやコンピュータに接続された機能拡張ユニットに備わるメモリに、記憶媒体から読出されたプログラムコードなどの情報を読み込んでもよい。その場合、その読み込まれてプログラムコードの指示に基づいて、その機能拡張ボードや機能拡張ユニットに備わるＣＰＵなどが実際の情報処理の一部または全部を行い、その処理によって前述した実施形態の機能を実現することもできる。
【００４０】
また、本発明は、上記実施形態のようなフルライン型の記録装置に限らず、記録ヘッドを記録媒体の搬送方向と交差する方向に走査させて記録動作を行う、いわゆるシリアル型の記録装置にも適用可能である。
【００４１】
また上記実施形態では、加湿手段として記録ヘッドを用いた場合を例示したが、本発明の加湿手段はこれに限らず、待機状態において、記録ヘッド以外の液体付与手段からの液体を記録ヘッドの吐出口面とキャッピング部材との間に形成された遮蔽空間に入れることでキャッピング部材内を加湿するようにしてもよい。
【符号の説明】
【００４２】
１００  インクジェット記録装置
１０５  記録ヘッド
１０６  インクタンク
１０７  キャッピング機構
１０７ａ  キャッピング部材
１０８  コンピュータ装置（ホスト装置）
２０１  ＣＰＵ
２０２  ＲＯＭ
２０４  ＲＡＭ
２１６  温湿度センサ
【図１】
0006006704.tif 000002
【図２】
0006006704.tif 000003
【図３】
0006006704.tif 000004
【図４】
0006006704.tif 000005
【図５】
0006006704.tif 000006
【図６】
0006006704.tif 000007
【図７】
0006006704.tif 000008
【図８】
0006006704.tif 000009
【図９】
0006006704.tif 000010
【図１０】
0006006704.tif 000011
【図１１】
0006006704.tif 000012
【図１２】
0006006704.tif 000013